(57)【特許請求の範囲】
【請求項１】
棚板支持部材と、この棚板支持部材にブラケットを介して取り付けられる棚板とからなる物品棚において、
前記ブラケットの前部に前後方向に摺動可能に設けられた摺動リンクと、ブラケットの後部に一端が軸着された回動リンクと、一端を前記摺動リンクの後端に、他端が回動リンクの他端に軸着された中間リンクと、前記摺動リンクの前端に、前記摺動リンクとほぼ平行をなす収納位置と、先端が棚板の少なくとも上方もしくは下方に突出する突出位置との間で回動自在に設けられた棚フェンスと、少なくとも前記摺動リンクの一部が棚板前端より突出された時に、前記棚フェンスを前記収納位置から突出位置まで回動させる回動手段と、前記回動リンクを所定位置にて係止する係止装置と、振動を感知して前記係止装置による回動リンクの係止を解除する感震装置と、を備え、
前記回動リンクの回動により、少なくとも前記摺動部材が、棚フェンスが前記収納位置から突出位置まで回動可能な位置まで前方に移動された後、前記棚フェンスが棚板前端部に保持されるまで後方に移動されるようになっていることを特徴とする物品棚における物品落下防止装置。
【請求項２】
少なくとも前記摺動リンク、中間リンク、回動リンク及び係止装置が、ブラケットの内側面に取り付けられている請求項１に記載の物品棚における物品落下防止装置。
【請求項３】
前記回動リンクが、ブラケットに設けられた係止ピンにより上死点近傍より若干後方に傾けられた状態に保持されるとともに、所定以上の振動により前方に回動されるようになっている請求項１または２に記載の物品棚における物品落下防止装置。
【請求項４】
前記回動手段が、一端が前記棚フェンスの先端に、他端が該棚フェンスの回動軸を経てブラケットの所定箇所に固着されたワイヤーであり、摺動リンクが前方に突出された時に、前記ワイヤーが張設されて棚フェンスが収納位置から突出位置まで回動されるようになっている請求項１ないし３のいずれかに記載の物品棚における物品落下防止装置。
【請求項５】
前記摺動リンク前端に、突出位置において先端がそれぞれ棚板の上方及び下方を向く２つの棚フェンスが設けられ、少なくとも前記一方の棚フェンスが、他方の棚フェンスに連動して回動されるようになっている請求項１ないし４のいずれかに記載の物品棚における物品落下防止装置。
【発明の詳細な説明】
【０００１】
【発明の属する技術分野】
本発明は、物品棚の棚板上に載置された物品の棚板からの落下を防止する物品棚における物品落下防止装置に関する。
【０００２】
【従来の技術】
従来、この種の物品棚における物品落下防止装置としては、実開平８−２９９０８０号公報に開示されたもの等が知られている。
【０００３】
この装置は、棚板の先端部に、付勢スプリングを介して上方または下方に突出するストッパ部材が設けられており、通常時においては係止部材により前記ストッパ部材を棚板内に収納しておき、振動センサーにより振動が検知された場合には前記係止部材とストッパ部材との係止状態を解除し、ストッパ部材が棚板上方または下方に突出され、棚板上の物品の落下が防止されるようになっている。
【０００４】
【発明が解決しようとする課題】
しかしながら、このような方法では、物品が棚板の前部まで達するように置かれている場合、ストッパ部材が物品に妨げられて突出されず、物品の落下を防止出来ないことがあるばかりか、ストッパ部材の高さが棚板の厚み以上であると収納時において棚板の下部に突出してしまい、通常時における物品の出し入れの邪魔になるとともに、棚板の厚み以下であると背の高い物品等の落下を効果的に防止できないといった問題があった。
【０００５】
また、棚板先端部上面に左右方向の長孔を設けてストッパ部材を取り付けるような場合、棚板の強度が低下する恐れがあった。
【０００６】
本発明はこのような問題点に着目してなされたもので、通常時において物品の出し入れの邪魔になることがなく、かつ棚板に振動が生じた場合、物品の棚板からの落下を確実に防止することが出来る物品棚における物品落下防止装置を提供することを目的としている。
【０００７】
【課題を解決するための手段】
上記目的を達成するために、本発明の物品棚における物品落下防止装置は、棚板支持部材と、この棚板支持部材にブラケットを介して取り付けられる棚板とからなる物品棚において、
前記ブラケットの前部に前後方向に摺動可能に設けられた摺動リンクと、ブラケットの後部に一端が軸着された回動リンクと、一端を前記摺動リンクの後端に、他端が回動リンクの他端に軸着された中間リンクと、前記摺動リンクの前端に、前記摺動リンクとほぼ平行をなす収納位置と、先端が棚板の少なくとも上方もしくは下方に突出する突出位置との間で回動自在に設けられた棚フェンスと、少なくとも前記摺動リンクの一部が棚板前端より突出された時に、前記棚フェンスを前記収納位置から突出位置まで回動させる回動手段と、前記回動リンクを所定位置にて係止する係止装置と、振動を感知して前記係止装置による回動リンクの係止を解除する感震装置と、を備え、
前記回動リンクの回動により、少なくとも前記摺動部材が、棚フェンスが前記収納位置から突出位置まで回動可能な位置まで前方に移動された後、前記棚フェンスが棚板前端部に保持されるまで後方に移動されるようになっていることを特徴としている。
この特徴によれば、感震装置が作動されると回動リンクの係止が解除され、回動リンクが回動し、この回動リンクの回動が中間リンクを介して摺動リンクに伝達されて摺動リンクが前方に摺動される。そして摺動リンクの前部が棚板前端より前方に突出され、回動手段により棚フェンスが突出位置に移動された時点で摺動リンクが後方に移動され、棚フェンスが棚板の前端近傍まで引き戻され、物品の棚板からの落下が防止される。
【０００８】
本発明の物品棚における物品落下防止装置は、少なくとも前記摺動リンク、中間リンク、回動リンク及び係止装置が、ブラケットの内側面に取り付けられていることが好ましい。
このようにすることで、各リンクが外側から見えにくくなり、外観が向上するとともに、これらリンクを外部からの衝撃より保護することが出来る。
【０００９】
本発明の物品棚における物品落下防止装置は、前記回動リンクが、ブラケットに設けられた係止ピンにより上死点近傍より若干後方に傾けられた状態に保持されるとともに、所定以上の振動により前方に回動されるようになっていることが好ましい。
このようにすることで、リンクの一部が感震装置となるため、構造が単純化される。
【００１０】
本発明の物品棚における物品落下防止装置は、前記回動手段が、一端が前記棚フェンスの先端に、他端が該棚フェンスの回動軸を経てブラケットの所定箇所に固着されたワイヤーであり、摺動リンクが前方に突出された時に、前記ワイヤーが張設されて棚フェンスが収納位置から突出位置まで回動されるようになっていることが好ましい。
このようにすることで、棚フェンスが収納位置において突出位置方向に付勢されることがなく、摺動リンクの摺動が滑らかに行われるとともに、棚フェンスを突出位置から収納位置まで戻すだけで各リンクが逆動作され、通常の収納位置に簡単に戻すことが可能となる。
【００１１】
本発明の物品棚における物品落下防止装置は、前記摺動リンク前端に、突出位置において先端がそれぞれ棚板の上方及び下方を向く２つの棚フェンスが設けられ、少なくとも前記一方の棚フェンスが、他方の棚フェンスに連動して回動されるようになっていることが好ましい。
このようにすることで、棚板が複数段設けられている場合、所定の棚板上に載置された物品の上部と下部とがそれぞれ同時に支持されるため、物品の落下防止効果が向上される。
【００１２】
【発明の実施の形態】
以下、本発明の実施例を図面に基づいて説明すると、まず図１には本発明の適用される物品棚１が示されており、この物品棚１は、左右側に設けられた脚２と、この脚２の前後方向略中央位置に立設された支柱３と、支柱３の前後面に上下方向に形成された複数の係止孔４に係止可能な係止片５（図２、３参照）を介して、支柱３の前後に着脱自在に取り付けられるブラケット６と、左右の支柱３にそれぞれ取り付けられたブラケット６上に左右側下面が支持される複数の棚板７とから構成されている。また、８は左右の支柱３、３間に設けられる仕切板であり、Ｇは棚板７上面に載置された物品である。なお、最下段の棚板７は上方と違異なる形状のブラケット６により取り付けられている。
【００１３】
図２及び図３に示されるように、左右のブラケット６の内側には、一端がブラケット６の後部下端に設けられた軸９により回動可能に軸着された回動リンク１０と、この回動リンク１０の他端に軸（図示略）を介して一端が軸着された中間リンク１１と、中間リンク１１の他端に軸１２を介して後端が軸着された摺動リンク１３とが設けられている。また、中間リンク１１の後端には、所定重量を有するウェイト部材１４が内向きに突設されている。
【００１４】
また、軸９のやや上方位置には、回動リンク１０を上死点より若干後方に傾けた状態に保持し、かつ所定の振動以上で回動リンク１０が前方に回転する位置にて係止する係止ピン１５が内向きに突設されている。
【００１５】
摺動リンク１３は、ブラケット６の前部に固着されたチャンネル状の案内部材１６内に、前後水平方向に摺動自在に案内されるように挿通されている。また、摺動リンク１３の前端部には軸部材１７が突設されているとともに、後述する取付部材の回動を規制する規制部材１８が形成されている。
【００１６】
前記軸部材１７には、棚板７とほぼ同等の左右幅を有する棚フェンスとしての板部材１９の左右両端部に取り付けられる取付部材２０の端部に形成された孔部２１が挿通され、カバー部材２３を介して逸脱不能に軸着されている。この取付部材２０と摺動リンク１３との間には、取付部材２０が常時時計回りに回動付勢されるように、板部材１９の回動手段としてのコイルバネ２２が設けられている。
【００１７】
案内部材１６の上部には、板部材１９が図２に示されるように棚板７の下方に位置する時、取付部材２０の上方への回動付勢を規制するストッパ片１６ａが内向きに突出するように設けられている。また、摺動リンク１３の略中央位置には取付部材２０の下方への回動を規制するストッパピン２４が内向きに突設されている。
【００１８】
また、取付部材２０の取付片２０ａの後端縁２０ｂは、取付部材２０の回動とともに、規制部材１８の上端に当接されるように設けられており、板部材１９を垂直位置に保持できるようになっている。
【００１９】
次に、このように構成された本発明実施例の物品落下の作用を図４（ａ）〜図４（ｃ）に基づいて説明すると、まず図４（ａ）に示されるように、通常時において、回動リンク１０は上死点より若干後方に傾いた状態にて係止ピン１５により保持されている。この時摺動部材１３の先端部は棚板７の前端部より前方に突出されず、かつ板部材１９が棚板７下方の収納位置にて保持されている。ここで板部材１９は、取付片２０ａが案内部材１６のストッパ片１６ａの下方に位置するため、回動が規制されるようになっている。
【００２０】
この時各リンク１０、１１、１３および案内部材１６等は全てブラケット６の内面に収容されているため、外部からの見栄えが向上するとともに、外部からの衝撃等による損傷等が防止されているとともに、板部材１９が棚板７下方の収納位置において摺動リンク１３と同様に水平状態に保持されるため、棚板７の下方等に突出して、物品の取り出しの邪魔等になることがない。
【００２１】
そして地震等の発生により物品棚１の前後方向に所定以上の振動が生じると、図４（ｂ）に示されるように回動リンク１０と係止ピン１５との係止が解除されて回動リンク１０が上死点より前方に回動されると、中間リンク１１を介して摺動リンク１３が前方に移動される。軸部材１７を中心に先端が後方に折り畳まれた板部材１９が棚板７の前方に突出され、回動リンク１０と中間リンク１１とが略一直線状になった時点で板部材１９はコイルバネ２２により時計回りに回動付勢され、取付片２０ａの後端縁２０ｂと規制部材１８との当接により直立状態で突出位置にて保持される。
【００２２】
さらに回動リンク１０が回動されると、図４（ｃ）に示されるように摺動リンク１３が中間リンク１１を介して後方に移動され、板部材１９の後面１９ａが棚板７の前端面７ａに当接された時点で回動リンク１０の回動が停止される。また、ウェイト部材１４により回動リンク１０のモーメントが大きくなっているので、棚板７上に載置された物品により板部材１９に前方への負荷が加わっても、板部材１９が容易に前方へ移動されることはない。
【００２３】
こうして直立状態に突出された板部材１９が棚板７の前端部に設けられることにより、棚板７上に載置された物品の棚板７からの落下が効果的に防止される。また、通常時、すなわち収納時において板部材１９は略水平状態に保持されているので、板部材１９の高さを棚板７等の厚み等に影響されることなく、物品の棚板からの落下を防止できる十分な高さに設定することが出来る。
【００２４】
さらに、板部材１９は棚板７の前方位置において突出されるため、突出動作が棚板７上の物品に妨げられる恐れがないので、確実な物品の落下防止が達成される。
【００２５】
次に本発明の物品落下防止装置の第２実施例を図５（ａ）〜図５（ｃ）に基づいて説明していく。本実施例において前述の実施例と相違する点は、棚フェンスの回動手段として、一端が係止ピン１５に固着され、他端が軸部材１７の前方を回り込んで取付部材２０の先端に固着される所定長さのワイヤー２５が設けられている点である。なお、２６はワイヤー２５のガイドローラである。
【００２６】
以下、本実施例における物品落下防止装置の作用を説明すると、図５（ａ）に示されるように板部材１９が棚板７下方の収納位置にある時、ワイヤー２５は撓んだ状態にある。板部材１９はストッパピン２４により水平状態に保持されている。
【００２７】
振動が発生し、回動リンク１０の回動による摺動リンク１３の前方移動に伴い、ワイヤー２５の一端が前方に引っ張られ、図５（ｂ）に示されるように板部材１９が棚板７の所定前方位置に突出された時点でワイヤー２５が完全に張設される。さらに摺動リンク１３が前方に移動されると、板部材１９の先端がワイヤー２５により引っ張られて板部材１９が回動され、規制部材１８により直立状態にて保持される。この時内向きに突設されたウェイト部材１４がワイヤー２５の所定箇所に引っかかる。
【００２８】
回動リンク１０がさらに回動され、図５（ｃ）に示されるようにワイヤー２５がウェイト部材１４により引っ張られて摺動リンク１３が後方に移動されることにより、板部材１９の後面１９ａが棚板７の前端面７ａに当接される。
【００２９】
このようにワイヤー２５を用いれば、板部材１９を突出位置まで回動させることが出来るとともに、図５（ｃ）の状態にある板部材１９を突出時と逆の後方に回動させるだけで、ウェイト部材１４がワイヤー２５により逆回動され、各リンクが図５（ｃ）〜図５（ａ）の順に逆動作されるため、板部材１９を収納位置まで簡単に戻すことが出来る。
【００３０】
図６、図７には本発明の第３の実施例が示されており、本実施例において前述の第１実施例と相違する点は、摺動リンク１３の前端に、板部材１９が上方に回動する板部材１９ａと、該板部材１９ａの回動に連動して下方に回動する板部材１９ｂとが設けられている点である。
【００３１】
図７に示されるように、両板部材１９ａ、１９ｂは取付部材２０、２０’を介して上下の軸部材１７、１７’に軸着されており、互いの取付部材２０、２０’に形成されたギヤ部２７、２７’の噛合により連動するように設けられている。上方の板部材１９のみが特に図示しないコイルバネにより上方に付勢されているとともに、取付部材２０に形成された円弧状の長孔２８と、この長孔２８内に挿通するように突設された規制ピン２９とにより、回動規制されるようになっている。
【００３２】
このように突出位置において所定の棚板７の上方及び下方に突出される板部材１９ａ、１９ｂが取り付けられていることにより、所定の棚板７上に載置された物品の上部と下部とがそれぞれ同時に支持されるため、物品の落下防止効果が向上される。
【００３３】
また、棚フェンスの回動手段としてのコイルバネ等をそれぞれの板部材１９に設けることなく、簡単な機構で両板部材１９ａ、１９ｂを同時に突出させることが可能となる。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、棚フェンスの高さや形状、及び回動手段等は任意であり、種々に変形可能である。
【００３６】
また、感震装置が回動リンクとは別途設けられ、この感震装置が振動を感知したときに係止装置が解除されて回動リンクが回動されるようにしてもよい。
【００３７】
【発明の効果】
本発明は次の効果を奏する。
【００３８】
（ａ）請求項１の発明によれば、棚フェンスの高さを棚板等の厚み等に影響されることなく、物品の棚板からの落下を防止できる十分な高さに設定することが出来るとともに、棚フェンスは棚板の前方位置において突出されるため、突出動作が棚板上の物品に妨げられることがない。よって物品の棚板からの落下が確実に防止される。
【００３９】
（ｂ）請求項２の発明によれば、各リンクが外側から見えにくくなり、外観が向上するとともに、これらリンクを外部からの衝撃より保護することが出来る。
【００４０】
（ｃ）請求項３の発明によれば、リンクの一部が感震装置となるため、構造が単純化される。
【００４１】
（ｄ）請求項４の発明によれば、棚フェンスが収納位置において突出位置方向に付勢されることがなく、摺動リンクの摺動が滑らかに行われるとともに、棚フェンスを突出位置から収納位置まで戻すだけで各リンクが逆動作され、通常の収納位置に簡単に戻すことが可能となる。
【００４２】
（ｅ）請求項５の発明によれば、棚板が複数段設けられている場合、所定の棚板上に載置された物品の上部と下部とがそれぞれ同時に支持されるため、物品の落下防止効果が向上される。
【００４３】
【図面の簡単な説明】
【図１】本発明の適用される物品棚の設置状況を示す斜視図である。
【図２】図１のＡ−Ａ断面図である。
【図３】物品落下防止装置の構造を示す一部分解斜視図である。
【図４】（ａ）〜（ｃ）は地震発生時における物品落下防止装置の作用を示す概略側面図である。
【図５】（ａ）〜（ｃ）は本発明の第２実施例としての物品落下防止装置の地震発生時における作用を示す概略側面図である。
【図６】本発明の第３の実施例としての物品落下防止装置を示す側面図である。
【図７】図６の要部拡大断面図である。
【符号の説明】
１            物品棚
２            脚
３            支柱（棚板支持部材）
４            係止孔
５            係止片
６            ブラケット
７            棚板
７ａ          前端面
８            仕切り板
９、１２      軸
１０            回動リンク（感震装置）
１１            中間リンク
１３            摺動リンク
１４            ウェイト部材
１５            係止ピン（係止装置）
１６            案内部材
１６ａ          ストッパ片
１７、１７’    軸部材
１８            規制部材
１９            板部材（棚フェンス）
１９ａ、１９ｂ  板部材（棚フェンス）
２０            取付部材
２０ａ          取付片
２０ｂ          後端縁
２１            孔部
２２            コイルバネ（回動手段）
２３            カバー部材
２４            ストッパピン
２５            ワイヤー（回動手段）
２６            ガイドローラ
２７、２７’    ギヤ部
２８            長孔
２９            規制ピン
【図１】
0003597691.tif 000002
【図２】
0003597691.tif 000003
【図３】
0003597691.tif 000004
【図４】
0003597691.tif 000005
【図５】
0003597691.tif 000006
【図６】
0003597691.tif 000007
【図７】
0003597691.tif 000008